(57)【特許請求の範囲】
【請求項１】
冷凍バンの左右の両側壁内面と、天井面の中央部に移動用レールを備え、側壁に設けた移動用レールに案内されて前後方向に走行可能な冷凍バンの内法幅の略１／２の横幅を有する左右一対の横仕切板と、天井面に設けたレールに案内されて前後方向に走行可能な縦仕切板とからなり、
前記横仕切板は保冷構造をなし、所望位置で側壁に対し固定可能であり、
前記縦仕切板も保冷構造をなし、前記左右の横仕切板の位置が前後にずれたとき、前後両端縁が前記横仕切板の内側端部と接し左右の横仕切板間の縦方向隙間を塞いで保冷室を構成可能にしたことを特徴とする
冷凍バンの移動式中仕切り装置。
【請求項２】
前記横仕切板は、側壁側端縁にヒンジを介し取付けた走行サドルを有し、該走行サドルに複数個のローラを取付け、該ローラを側壁に設けた移動用レールに沿って走行可能、かつ前記ヒンジを介し回動可能にした請求項１記載の冷凍バンの移動式中仕切り装置。
【請求項３】
前記横仕切板は落し錠を有し、該落し錠を前記側壁に設けた落し錠受けレールに対し係止して移動位置を固定可能にした請求項２記載の冷凍バンの移動式中仕切り装置。
【請求項４】
前記縦仕切板は、天井中央部に設けた移動用レールに吊持され、前記左右一対の横仕切板を前後に移動してずらしたとき、縦仕切板の前後部が両横仕切板間の内側端縁部に設けたガスケットと当接し、低温側と常温側とを仕切り保冷室を構成するようにした請求項１記載の冷凍バンの移動式中仕切り装置。
【請求項５】
前記縦仕切板にゴムバンドを設け、これに対し横仕切板にバンド受け具を設け、これらの係合により、横仕切板と縦仕切板を一体化可能にした請求項４記載の冷凍バンの移動式中仕切り装置。
【発明の詳細な説明】
【０００１】
【発明の属する技術分野】
本発明は、冷凍バン型車両（以下冷凍バンという）における中仕切り装置に関するものである。さらに詳しく言えば、冷凍バンの庫内を低温側と常温側とに仕切る中仕切り装置であって、低温側の容積を低温管理すべき内容物の量に応じて増減できるようにした、中仕切り装置に関するものである。
【０００２】
【従来の技術】
従来型の中仕切り装置は、左右両側壁に跨る１枚または２枚の保冷板が鉄フレームに取付けられ、鉄フレームと一体で前後に移動する方式であった。このため、移動操作がしにくく、かつ低温側の容積を自在に増減することも容易でなかった。
【０００３】
又低温域と常温域の温度区域の境界が常に冷凍バンの幅方向に直線状であったため、低温域側の余剰空間を荷物の大きさ、あるいは荷物量の増減に応じて適宜増減する自由度に限度があった。
【０００４】
このため、低温域側に収納すべき荷物が減少したとき、余剰空間が発生し、不経済であるばかりでなく、低温域内にある荷物の荷くずれ、それに伴う荷物の衝突破損を生ずることがあった。
【０００５】
【発明が解決しようとする課題】
低温側（もっぱら冷却を目的とする側）の容積を、冷却すべき荷物の量に応じて調整可能にし、低温側と常温側を有効に利用できる冷凍バンを提供することを課題とする。
【０００６】
【課題を解決するための手段】
（１）冷凍バンの左右の両側壁内面と、天井面の中央部に移動用レールを備え、側壁に設けた移動用レールに案内されて前後方向に走行可能な冷凍バンの内法幅の略１／２の横幅を有する左右一対の横仕切板と、天井面に設けたレールに案内されて前後方向に走行可能な縦仕切板とからなり、前記横仕切板は保冷構造をなし、所望位置で側壁に対し固定可能であり、前記縦仕切板も保冷構造をなし、前記左右の横仕切板の位置が前後にずれたとき、前後両端縁が前記横仕切板の内側端部と接し左右の横仕切板間の縦方向隙間を塞いで保冷室を構成可能にした。
（２）前記横仕切板は、側壁側端縁にヒンジを介し取付けた走行サドルを有し、該走行サドルに複数個のローラを取付け、該ローラを側壁に設けた移動用レールに沿って走行可能、かつ前記ヒンジを介し回動可能にした。
（３）前記横仕切板は落し錠を有し、該落し錠を前記側壁に設けた落し錠受けレールに対し係止して移動位置を固定可能にした。
（４）前記縦仕切板は、天井中央部に設けた移動用レールに吊持され、前記左右一対の横仕切板を前後に移動してずらしたとき、縦仕切板の前後部が両横仕切板間の内側端縁部に設けたガスケットと当接し、低温側と常温側とを仕切り保冷室を構成するようにした。
（５）前記縦仕切板にゴムバンドを設け、これに対し横仕切板にバンド受け具を設け、これらの係合により、横仕切板と縦仕切板を一体化可能にした。
【０００７】
【発明の実施の形態】
図１は冷凍バン１の内部を屋根（天井）を外して上から見た図である。２ａと２ｂは左右一対の横仕切板である。左側の横仕切板２ａは保冷構造を有し、冷凍バン１の幅Ｗの略１／２の幅を有し、側壁５ａの内側前後方向に設けた移動用レール４ａに案内されて前後方向（矢印ａ参照）に移動可能であり、かつ図１の矢印ｂに示すように側壁に向って回動し側壁と平行に格納することもできる。移動用レール４ａは側壁５ａにたとえば上下２本平行に設けられている。
【０００８】
他方の横仕切板２ｂも同様に、保冷構造を有し、側壁５ｂの内側前後方向に設けた移動用レール４ｂに案内されて前後方向（矢印ａ参照）に移動可能、かつ側壁に向って回動し、側壁と平行に格納可能である。移動用レール４ｂも、側壁の上下に例えば上下２本平行に設けられている。
【０００９】
６は図１ではカットされている天井の下面中央部に設けた移動用レールで、これに案内されて、縦仕切板３が前後方向（矢印ｃ参照）に移動可能に組み込まれている。
【００１０】
縦仕切板３の前後方向幅は、たとえば横仕切板２ａ又は２ｂと略同一の幅（図８に示すように、荷物Ａを保冷室と常温室間で横移動できる幅）を有し、前記移動用レール６に吊持され、これに案内されて移動し、図１のごとく、一対の横仕切板２ａと２ｂの位置が前後にずれているときでも、横仕切板２ａと２ｂの端縁間を塞いで、冷凍バンの前部に低温室を仕切ることができるようになっている。
【００１１】
前記横仕切板２ａ又は２ｂは図１で矢印ａにて示すごとく、前後方向に移動できると共に、同じく図１で矢印ｂで示すごとく、側壁５ａ又は５ｂに向って回動することができ側壁に沿って格納することもできる。
【００１２】
図２を参照して、上に述べた横仕切板２ａ又は２ｂ、縦仕切板３の詳細及び関連構成について以下説明する。
【００１３】
移動用レール４ａは、図２ではボディの側壁５ａに上下２列平行に、かつ側壁内に埋め込まれている。なお反対側の移動用レール４ｂも同様の構成である。
【００１４】
移動用レール４ａは断面ハット型をなし、その溝部に沿って横仕切板２ａの側部に設けたローラ７が走行する。ローラ７は、横仕切板２ａの側縁に取付けた走行サドル８に図４の例では３個取付けられている。図６に示すように、ローラ７は周溝付きで、この周溝が移動用レール４ａ内側の上下に埋設されたレール部材７ａに沿って走行し、これにより安定走行が可能になっている。ローラ７はローラ軸７ｂに軸受７ｃを介して取付けられている。ローラ軸７ｂは端部を前記断面Ｉ型の走行サドル８のリブ部に固定されている。
【００１５】
走行サドル８は断面Ｉ型をなし（図５）、図４（ｂ）に示すように、ヒンジ取付ブラケット９を介し、ヒンジ１０がボルト１１で取付けられている。ヒンジ１０は横仕切板２ａの端に固着されたＵ字形のヒンジブラケット１２と、ヒンジピン１３及びＵ字形ブラケット内に嵌挿されたパイプ１４とからなっている。
【００１６】
この構成であるから、横仕切板２ａは移動レール４ａに沿って前後に移動できると共に、ヒンジ１０のまわりに回動し、側壁５ａに沿って側壁と平行にして格納することもできる。
【００１７】
横仕切板２ａの周囲にはガスケット１５ａ，１５ｂ，１５ｃ及び１５ｄが撓らされている。ガスケット１５ｄは図７（ｂ）に示すごとく、ヒンジ１０が存在するため、これを避けるように取付けられた板状ガスケットである。
【００１８】
図２に戻って、１６は横仕切板の位置決めをする落し錠で、側壁５ａ側に取付けた落し錠受けレール１７の穴１７ａに挿入して位置決めする。１８は横仕切板の上部に設けた落し錠で天井に設けた落し錠受け（図７（ａ））に対し挿入して横仕切板２ａの上部を位置決めする。
【００１９】
１９はバンド受け具で、縦仕切板３に設けたゴムバンド２０をこれに引掛け、横仕切板２ａ又は２ｂと縦仕切板３を合体させる。２１は横仕切板２ａ又は２ｂを移動操作する把手である。
【００２０】
次に縦仕切板３について説明する。縦仕切板３も保冷構造をなし、上部に天井レール６内を走行するローラ２２が取付けられ、これによって吊持されている。縦仕切板３の上部と下部には板状のガスケット２３と２４が取付けられ（図７（ｃ），図７（ｄ））、これらによって上下をシールしている。縦仕切板３の前後両端にはガスケットはないが、横仕切板２ａ又は２ｂの側端に設けたガスケット１５ｂが、縦仕切板３の面と接することによってシールされる。
【００２１】
なお、図の例では、左右の横仕切板は左右同一幅のものとしたが、左右の横仕切板と縦仕切板の計３枚の仕切板の幅寸法のバランスを変えることも勿論できる。
【００２２】
又中央の縦仕切板３は、非使用時に車両の前部で前壁と平行になるよう回動し、前壁前部に収納可能となる。この場合の縦仕切板の回動機構の一例として、縦仕切板の上部を３個のローラで吊り、前後２個のローラを着脱可能にして、格納時には残る中央部のローラのみで縦仕切板を吊って回動可能にする。
【００２３】
（作動）
▲１▼図７は左右の横仕切板２ａと２ｂが同一位置に位置決めされ、落し錠１６と上部落し錠１８とで、側壁と天井に固定された状態となっている。この状態で左右の横仕切板２ａと２ｂが冷凍バンの前部を低温室、同じく後部を常温室として仕切ることができる。
▲２▼低温室内で輸送すべき荷物が増減したときは、図１の如く、横仕切板２ａ又は２ｂを前後にずらし、両横仕切板間の前後方向隙間に縦仕切板３を移動する。移動したのち、ゴムバンド２０をバンド受け具１９に引掛けると、横仕切板２ａ又は２ｂの端部に設けたガスケット１５ｂが縦仕切板３の面に当接するので、前後にずれて位置する横仕切板２ａ，２ｂの間が塞がれてシールが完結する。低温室と常温室間の荷物Ａの移動は図８の如く、横仕切板間で行うことができる。
▲３▼冷凍を要しない場合は、横仕切板をヒンジ１０のまわりに回動し、側壁面と平行にして格納すれば、常温輸送用のバンとして使用できる。
【００２４】
【発明の効果】
▲１▼請求項１により、仕切りを左右一対の横仕切板２ａ，２ｂと中央部の縦仕切板３の計３枚で構成し、夫々が独立して前後方向に移動できるように構成したので、冷凍バン内部の保冷室の空間容積を自在に変更できるので、経済的である。
▲２▼又自在に容積を変更でき、荷物の荷くずれをも防ぎ得るので、荷物の輸送安全にも寄与する。
▲３▼請求項２により、走行サドルをヒンジを介し取付けたので、横仕切板の走行と回動を容易に行うことができる。
▲４▼請求項３により、要保冷荷物の量により横仕切板を前後方向に移動でき、その位置で位置を固定できるので、無駄な要保冷空間が生ずることがない。
▲５▼請求項４により、横仕切板の移動にともない、縦仕切板も前後に移動し、前後方向に段差のついた横仕切板間を塞ぐことができる。と共にこの部分で荷物の出し入れができる。
▲６▼請求項５により、両横仕切板の移動にともない移動した縦仕切板を、両横仕切板に対し密接し、保冷室を完全にシールできる。
【図面の簡単な説明】
【図１】冷凍バンの内部を屋根を外して上からみた概略図。
【図２】中仕切装置の分解斜視図。
【図３】横仕切板の開閉詳細図。
【図４】（ａ）はヒンジ部詳細図、（ｂ）は走行サドル詳細図。
【図５】走行サドルにおけるローラ取付部を示す。
【図６】ローラの拡大図。
【図７】（ａ）は横仕切板を固定した状態を示し、（ｂ）は横仕切板のヒンジ部近傍、（ｃ）と（ｄ）は縦仕切板上下のレールを示す。
【図８】縦仕切板を使用時の横仕切板との位置関係説明図。
【符号の説明】
１  冷凍バン                    2a,2b  横仕切板
３  縦仕切板                    4a,4b  移動用レール
5a,5b  側壁                     ６  移動用レール
７  ローラ                      ８  走行サドル
９  ヒンジ取付ブラケット        10  ヒンジ
11  ボルト                      12  （Ｕ字形の）ヒンジブラケット
13  ヒンジピン                  14  パイプ
15a,15b,15c,15d  ガスケット     16  落し錠
17  落し錠受け                  17a  （落し錠受けの）穴
18  落し錠                      19  バンド受け具
20  ゴムバンド                  21  把手
22  ローラ                      23,24  ガスケット
【図１】
0004480256.tif 000002
【図２】
0004480256.tif 000003
【図３】
0004480256.tif 000004
【図４】
0004480256.tif 000005
【図５】
0004480256.tif 000006
【図６】
0004480256.tif 000007
【図７】
0004480256.tif 000008
【図８】
0004480256.tif 000009